【事件の表示】
　平成６年特許願第２５４４２８号「サイディング付き壁パネル」拒絶査定に対する審判事件［平成８年４月９日出願公開、特開平８−９３０８１］について、次のとおり審決する。
【結　論】
　本件審判の請求は、成り立たない。
【理　由】
Ｉ．手続の経緯・本願発明
（１）本願は、平成６年９月２２日の出願であって、平成１２年７月１４日付け手続補正書により補正された明細書の特許請求の範囲には、請求項１乃至５に係る発明について、次のとおり記載されている。
「【請求項１】　枠組された芯材と、前記芯材の外側面に貼付された防水シートと、前記防水シートを介在させて前記芯材の外側面に取付けられたサイディングとを有し、床パネル上に立設されるサイディング付き壁パネルであって、前記パネル下端及び上端の少なくとも一方の芯材には、前記床パネルの側端面に当接する突出部が突出形成され、前記サイディングは、前記突出部を覆う領域まで延長され、前記防水シートは、前記突出部を覆う領域を超えて前記突出部からはみ出す部分まで延長され、この突出部からはみ出す部分が前記突出部に沿って屈曲されていることを特徴とするサイディング付き壁パネル。
　【請求項２】　請求項１において、突出部は、パネル下端の芯材に固定されて２階以上の床部を構成する床パネルの側端面に当接する胴差であることを特徴とするサイディング付き壁パネル。
　【請求項３】　請求項１において、突出部は、パネル上端の芯材に固定されて２階以上の床部を構成する床パネルの側端面に当接する胴差であることを特徴とするサイディング付き壁パネル。
　【請求項４】　請求項２又は３において、胴差の高さは、床パネルの厚さのほぼ２分の１であることを特徴とするサイディング付き壁パネル。
　【請求項５】　請求項１において、突出部は、パネル下端の芯材に固定されて１階の床部を構成する床パネルの側端面に当接する半土台であることを特徴とするサイディング付き壁パネル。」
　なお、本願については、平成１２年９月１４日付けで手続補正がなされたが、補正の却下の決定により却下された。
　
（２）請求項１には、「床パネル上に立設されるサイディング付き壁パネルであって、前記パネル下端及び上端の少なくとも一方の芯材には、前記床パネルの側端面に当接する突出部が突出形成され」と記載されている。
　しかし、床パネル上に立設される壁パネルの上端に、その床パネルの側端面に当接する突出部を突出形成することはできないから、上記記載は発明を特定する事項が明りょうでない。そこで、請求項２乃至請求項４、発明の詳細な説明及び図面の記載を参酌して、上記記載は、
「床パネル上に立設されるサイディング付き壁パネルであって、前記パネル下端及び上端の少なくとも一方の芯材には、前記床パネル又は上階の床部を構成する床パネルの側端面に当接する突出部が突出形成され」を意味していると解釈する。
　
II．引用例
（１）これに対して、原査定の拒絶の理由に引用された、本願出願前に頒布された実願平２−７６４８２号（実開平４−３４３０３号）のマイクロフイルム（以下、「引用例１」という。）には、「外壁パネルの取付構造」に関して次のように記載されている。
「本実施例に係る下階外壁パネル２０は、第１図に示すように、あらかじめ所定寸法に上枠２１、頭つなぎ２２、立枠２３等の枠材が組付けられており、頭つなぎ２２の上端外部側には、側根太もしくは端根太２４があらかじめ固着、立設されている。また、外部には構造用面材としての構造用合板２５を固着し、さらに、その表面に外部仕上材としてのラップサイディング材を取付けてなるものである。なお、構造用合板２５の上部は、前記側根太（端根太）２４の上端まで延設して形成し、該構造用合板２５の表面に前記ラップサイディング材２６を合板２５の上端まで取付固定してある。」（明細書４頁１７行〜５頁１０行）、
「本実施例における施工にあたっては、まず基礎上に第１図の如く下階の外壁パネル２０等の構造体を形成した後に、床パネル２７を下階外壁パネル２０上に仮設、接合し、さらに、その上に、下階外壁パネル２０と同一構成の上階外壁パネル３１を載置、接合すればよい。上述した如く構成された本実施例においては、下階外壁パネル２０の上端外部側に側根太（端根太）２４があらかじめ固着されているため、構築後の接合目地は、当該側根太（端根太）２４と、上階外壁パネル３１の下端との１個所だけとなり、防水処理作業が簡単となり、雨漏れのおそれも減少させることができる。また、下階外壁パネル２０の構造用合板２５とラップサイディング材２６とが、側根太（端根太）２４の上端まで延設されてあらかじめ取付けられているため、施工にあたって、従来例のように胴差しカバー等を別個に取付ける必要がなく、部材点数の減少と施工作業の大幅な省力化が可能となる。また、胴差しカバ一等の異部材がなく、全体が同じラップサイディング材２６で統一されるため、デザイン的にも美しい仕上とすることができるものである。」（同５頁１６行〜６頁１９行）と記載されている。
　これらの記載及び図面の記載から見て引用例１には、
「枠組された枠材と、前記枠材の外側面に取付けられた構造用面材と、前記構造用面材を介在させて前記枠材の外側面に取付けられたサイディングとを有するサイディング付き外壁パネルであって、前記パネル上端の芯材には、上階の床部を構成する床パネルの側端面に当接する側根太（端根太）が突出形成され、前記サイディングは、前記側根太（端根太）を覆う領域まで延長されているサイディング付き外壁パネル。」の発明が記載されていると認められる。
（２）同じく、実願平１−１０２７４１号（実開平３−４６６０７号）のマイクロフイルム（以下、「引用例２」という。）には、「床パネルと壁パネルの接合構造」に関し、次のように記載されている。
「壁パネル２は、その端面２ａ、つまり芯材８の下面の外側（第１図で左側）に半土台９を一体に取り付け、芯材８と半土台９の外側の面に板材１０を、また芯材８の内側の面に板材ｌｌをそれぞれ貼着し、・・・てなる。」（明細書４頁１５行〜５頁９行〜５頁１行）と記載され、一階の床パネルへの壁パネルの取り付けについては、第１、２図と共に、
「壁パネル２の端面２ａを床パネル１のパネル面ｌｃに当接させるとともに、床パネル１の端面ｌａに壁パネル２の半土台９の内面９ａを当接させる。そして、最後にアンカーボルト１８にナット１９を螺着して床パネル１と壁パネル２の組立を完了する。」（同６頁１７行〜７頁２行）と記載され、二階の床パネルへの壁パネルの取り付けについては、第５、６図と共に、
「符号４は二階の壁パネルであり、一階の壁パネル２と同様に、端面４ａ、つまり芯材２５の下面の外側に半土台２６を一体に取り付け、芯材２５と半土台２６の外側の面に板材２７を、また芯材２５の内側の面に板材２８をそれぞれ貼着して製作されている。この壁パネル４の半土台２６は最終的に一階の壁パネル２の上端面２ｃにボルトや接着剤等の固定手段で一体に固着される。・・・二階の壁パネル４を、一階の壁パネル２と二階の床パネル３にまたがって垂直に載せ、半土台２６を一階の壁パネル２の芯材２３に一体に固定するとともに、半土台２６の内面２６ａを二階床パネル３の端面３ａに当接させて行う。」（同８頁１〜１９行）と記載されている。
（３）同じく、実公昭６３−２４７３４号公報（以下「引用例３」という）には、「下端の室内側に階段状の結合段部を形成した上階の外壁と、上端の室内側に階段状の結合段部を形成した下階の外壁とが互いの結合段部によって係止溝を形成して垂直に設けられ、上記上下の外壁の接合部には、・・・床が、上記縁部を上記係止溝に嵌入させ・・・て成ることを特徴とする外壁と床の接合構造」（実用新案登録請求の範囲）が図面と共に記載されている。
　
III．対比・判断
　請求項１に係る発明と引用例１記載の発明とを比較すると、引用例１記載の「枠材」、「外壁パネル」、「側根太（端根太）」は、請求項１に係る発明の「芯材」、「壁パネル」、「突出部」に相当するから、両者は、「枠組された芯材と、芯材の外側面に取付けられたサイディングとを有するサイディング付き壁パネルであって、前記パネル上下方向の端部の芯材には、床パネルの側端面に当接する突出部が突出形成され、前記サイディングは、前記突出部を覆う領域まで延長されているサイディング付き壁パネル。」である点で一致し、次の点で相違する。
　相違点１：請求項１に係る発明は、床パネル上に立設されるサイディング付き壁パネルの下端及び上端の少なくとも一方の芯材に、前記床パネル又は上階の床部を構成する床パネルの側端面に当接する突出部が突出形成されているのに対し、引用例１には、パネル上端の芯材に、上階の床部を構成する床パネルの側端面に当接する突出部が突出形成されているものは記載されているが、この壁パネルが、床パネル上に立設されているか否か不明な点、及び床パネル上に立設されるサイディング付き壁パネルの下端に、床パネルの側端面に当接する突出部を突出形成するものは記載されていない点。
　相違点２：請求項１に係る発明は、芯材の外側面に貼付された防水シートを有し、前記防水シートを介在させて前記芯材の外側面にサイディングが取付けられ、該防水シートは、前記突出部を覆う領域を超えて前記突出部からはみ出す部分まで延長され、この突出部からはみ出す部分が前記突出部に沿って屈曲されているているのに対し、引用例１記載の発明は、防水シートを有していない点。    
　
　上記相違点について検討する。
（１）相違点１について
　引用例１には、上階壁パネルを上階床パネル上に取り付けることが記載され、引用例２には、１階の壁パネルを１階の床パネル上に立設することが記載されており、引用例１において、下階の壁パネルを下階の床パネル上に立設することは、当業者が適宜なしうることである。
　また、引用例２には、壁パネル下端の芯材に半土台（請求項１に係る発明の「突出部」に相当する）を突出形成し、この半土台を、１階の床パネル又は２階の床パネルの側端面に当接することが記載されており、引用例３には、床パネル上に立設される上階の外壁（請求項１に係る発明の壁パネルに相当する）の下端と、床（請求項１に係る発明の床パネルに相当する）の下方に配置された下階の外壁の上端に、床の側端面に当接する突出部を形成することが記載されており、床パネルの下階に配置される壁パネルの上端に突出部を設けるか、床パネルの上に配置される壁パネルの下端に突出部を設けるかは、適宜選択しうる程度のことである。
（２）相違点２について
　壁パネルを構成する芯部材の外側面に防水シートを設け、前記防水シートを介在させて前記芯材の外側面にサイディングを取付けること、防水シートの端部を芯部材に沿って屈曲することは、拒絶査定に周知例として記載された特開平５−４４２７８号公報（以下「周知例」という）に記載されているように本願出願前に周知の技術である。すなわち上記周知例の第１図乃至第３図、及び明細書【特許請求の範囲】、段落【０００８】には、枠体１１に合板下地１２を張ってなるパネル１０の外面と側面に巻き込んで防水紙１３を貼り、防水紙１３を介してサイディング１４をパネル１０に貼ることが記載されている。
　したがって、芯材にサイディングを取付けるに際し、芯材の外側面に防水シートを設け、防水シートを介在させて芯材にサイディングを取付けること、その際、防水シートの端部を延長し、側面を巻き込むように、突出部に沿って屈曲することは当業者が適宜なしうることである。
　なお、本願明細書の実施例においては、サイディングの下端に薄肉部を設け、防水シートを薄肉部よりも内側部分において屈曲させているが、防水シートをサイディングの下端よりも内側部分において屈曲させることは上記周知例に記載されている。また、サイディングの上下端に薄肉部を設け、外壁パネルの接合時に薄肉部を接合することも本願出願前周知の技術である。
　そして、請求項１に係る発明の効果は、上記引用例１、２に記載された発明及び上記周知技術から当業者が容易に予測しうる程度のことである。
　したがって、請求項１に係る発明は、上記引用例１、２に記載された発明及び上記周知技術に基いて当業者が容易に発明をすることができたものである。
　
IV．むすび
　以上のとおり、請求項１に係る発明は、特許法第２９条第２項の規定により特許を受けることができないものであり、本願は、他の請求項について検討するまでもなく拒絶すべきものである。
　よって、結論のとおり審決する。